【手続補正書】
【提出日】平成21年6月19日(2009.6.19)
【手続補正１】
【補正対象書類名】特許請求の範囲
【補正対象項目名】請求項１
【補正方法】変更
【補正の内容】
【請求項１】
電気熱エネルギー変換体の熱エネルギーをインクに作用させて吐出口からインクを吐出させる記録ヘッドを用いて画像を記録する記録装置であって、
前記記録ヘッドは、
前記電気熱エネルギー変換体のそれぞれに対応付けて配置された複数の温度検知素子と、
前記複数の温度検知素子のそれぞれを選択して、当該選択した温度検知素子で検知した温度情報を取り出す温度検出回路とを有し、
前記記録装置は、
電気熱エネルギー変換体への通電動作を伴わない状態で前記温度検出回路により、前記電気熱エネルギー変換体に対応する温度検知素子で検知した第１温度情報を取り出す第１温度検出手段と、
前記電気熱エネルギー変換体への通電動作を伴う状態で前記温度検出回路により、前記電気熱エネルギー変換体に対応する温度検知素子で検知した第２温度情報を取り出す第２温度検出手段と、
前記第１及び第２温度情報を基に、前記対応する温度検知素子で検知した温度情報を補正する補正情報を取得する取得手段と、
前記取得手段により取得した前記補正情報に基づいて、前記対応する温度検知素子で検知した温度情報を補正する補正手段と、
を有することを特徴とする記録装置。
【手続補正２】
【補正対象書類名】特許請求の範囲
【補正対象項目名】請求項２
【補正方法】変更
【補正の内容】
【請求項２】
前記電気熱エネルギー変換体に対応する温度検知素子は、当該電気熱エネルギー変換体の直下に層間絶縁膜を介し薄膜抵抗体で形成されていることを特徴とする請求項１に記載の記録装置。
【手続補正３】
【補正対象書類名】特許請求の範囲
【補正対象項目名】請求項５
【補正方法】変更
【補正の内容】
【請求項５】
電気熱エネルギー変換体の熱エネルギーをインクに作用させて吐出口からインクを吐出させる記録ヘッドであって、
前記電気熱エネルギー変換体のそれぞれに対応付けて配置された複数の温度検知素子と、
前記複数の温度検知素子のそれぞれを選択して、当該選択した温度検知素子で検知した温度情報を取り出す温度検出回路と、
前記複数の温度検知素子のそれぞれで検知した温度情報を補正する補正情報を記憶する記憶手段と、
前記記憶手段に記憶した前記補正情報に基づいて、前記複数の温度検知素子のそれぞれで検知した温度情報を補正する補正手段と、
を有することを特徴とする記録ヘッド。
【手続補正４】
【補正対象書類名】明細書
【補正対象項目名】００１５
【補正方法】変更
【補正の内容】
【００１５】
上記目的を達成するために本発明の一態様に係る記録ヘッドは以下のような構成を備える。即ち、
電気熱エネルギー変換体の熱エネルギーをインクに作用させて吐出口からインクを吐出させる記録ヘッドであって、
前記電気熱エネルギー変換体のそれぞれに対応付けて配置された複数の温度検知素子と、
前記複数の温度検知素子のそれぞれを選択して、当該選択した温度検知素子で検知した温度情報を取り出す温度検出回路と、
前記複数の温度検知素子のそれぞれで検知した温度情報を補正する補正情報を記憶する記憶手段と、
前記記憶手段に記憶した前記補正情報に基づいて、前記複数の温度検知素子のそれぞれで検知した温度情報を補正する補正手段と、
を有することを特徴とする。
【手続補正５】
【補正対象書類名】明細書
【補正対象項目名】００１６
【補正方法】変更
【補正の内容】
【００１６】
上記目的を達成するために本発明の一態様に係る記録装置は以下のような構成を備える。即ち、
電気熱エネルギー変換体の熱エネルギーをインクに作用させて吐出口からインクを吐出させる記録ヘッドを用いて画像を記録する記録装置であって、
前記記録ヘッドは、
前記電気熱エネルギー変換体のそれぞれに対応付けて配置された複数の温度検知素子と、
前記複数の温度検知素子のそれぞれを選択して、当該選択した温度検知素子で検知した温度情報を取り出す温度検出回路とを有し、
前記記録装置は、
電気熱エネルギー変換体への通電動作を伴わない状態で前記温度検出回路により、前記電気熱エネルギー変換体に対応する温度検知素子で検知した第１温度情報を取り出す第１温度検出手段と、
前記電気熱エネルギー変換体への通電動作を伴う状態で前記温度検出回路により、前記電気熱エネルギー変換体に対応する温度検知素子で検知した第２温度情報を取り出す第２温度検出手段と、
前記第１及び第２温度情報を基に、前記対応する温度検知素子で検知した温度情報を補正する補正情報を取得する取得手段と、
前記取得手段により取得した前記補正情報に基づいて、前記対応する温度検知素子で検知した温度情報を補正する補正手段と、
を有することを特徴とする。
【手続補正６】
【補正対象書類名】明細書
【補正対象項目名】００２４
【補正方法】変更
【補正の内容】
【００２４】
このインクジェットヘッド１０００は、電気信号に応じて熱を発生し、その熱をインクに与えて膜沸騰を生じさせて記録を行う方式インクジェットヘッドである。このインクジェットヘッド１０００は、図２の分解斜視図に示すように、記録素子ユニット１００１とインク供給ユニット１００２のインク供給部材１５００とで構成されている。尚、１８００は、各種色のインクを収容しているインクタンクである。
【手続補正７】
【補正対象書類名】明細書
【補正対象項目名】００６０
【補正方法】変更
【補正の内容】
【００６０】
９９２では、インク流路内に不純物が堆積し、次のヒート信号（ＨＥ）が印加されるまでにインク再充填が間に合わないため吐出異常（ゴミ流路詰り）になっている。この場合は、多少でもインクが耐キャビテーション膜１０６上に存在しているため、泡不吐状態のときに比べ熱はインクに伝導される。よって、センサ１０２で検出される温度は、どの時間においても正常吐出の時に比べ高い温度となるが、泡不吐状態と比べると低い温度となっている。
【手続補正８】
【補正対象書類名】明細書
【補正対象項目名】００６１
【補正方法】変更
【補正の内容】
【００６１】
次に９９３では、インクジェット記録の液滴吐出時においては、液滴吐出時の尾部がインク自身の表面張力によって滴となり、本来の印刷に必要な液滴とは別に、副次的なインク滴（サテライト）や霧状のインク滴（ミスト）が発生する。このサテライトやミストが記録ヘッドの吐出口の周りに付着すると、インクの飛翔が妨げられて着弾位置がずれるなどの吐出異常（ヌレ異常）が発生する。この場合には、ノズル表面に付着したインクがメニスカスの後退に伴ってノズル内へ捲き込まれるため、正常吐出状態でインク再充填がされる時間よりも早く耐キャビテーション膜１０６にインクが接触することになる。その結果、センサ１０２で検出される温度は、ノズル表面に付着したインクが耐キャビテーション膜１０６に触れる前までは正常吐出と同じ温度プロファイルになる。しかし、ノズル表面に付着したインクが耐キャビテーション膜１０６に接すると、その温度は正常吐出のときよりも早いタイミング（リフィル前）で降下している。
【手続補正９】
【補正対象書類名】明細書
【補正対象項目名】００６２
【補正方法】変更
【補正の内容】
【００６２】
更に９９４では、インク流路内の不純物がノズルに詰まり、気泡の生成、成長に伴うインクの吐出が正常に行えない状態（ゴミ吐出口詰り）にある。この場合は、残留気泡やインク再充填不足による不吐状態とは異なり、気泡が成長、収縮している。しかしノズルの一部分或は全てが塞がっているため、気泡は共通液室側へ膨張していく。このため、インクの再充填によって耐キャビテーション膜１０６上にインクが接触するタイミングが正常吐出の時に比べ遅くなる。これにより、共通液室から再充填されるインクによって冷却されるタイミングが正常吐出と異なる（このタイミングを「リフィル中」と定義する）。
【手続補正１０】
【補正対象書類名】明細書
【補正対象項目名】０１１５
【補正方法】変更
【補正の内容】
【０１１５】
図２０は、本実施の形態３に係るインクジェット記録ヘッドの校正処理（キャリブレーション）を説明するフローチャートである。この処理を実行するプログラムは、制御部１２２０のＲＯＭ１２３１に記憶されており、ＣＰＵ１２３０の制御の下に実行される。